(57)【要約】【課題】被監視物の状態を正確に監視できる無線タグを提供する。【解決手段】この無線タグ３は、スイッチ４を介して接地電圧ＶＳＳのラインに接続される入力端子３ｂと、スイッチ４のオン／オフ状態を示すデータ信号を生成する入力ポート部１４と、入力ポート部１４で生成されたデータ信号を保持するレジスタ１５と、レジスタ１５に保持されたデータ信号をアンテナ３ａを介してリーダ／ライタ２に送信する送受信回路１３とを備える。スイッチ４のオン／オフ状態は、ドア２０のサムターン２２の施錠／解錠状態と連動する。したがって、サムターン２２の施錠／解錠状態を正確に監視できる。【選択図】図２
2014048890.tif 000002
【特許請求の範囲】
【請求項１】
外部スイッチに接続される第１〜第Ｎ（ただし、Ｎは自然数である）の入力端子と、
前記１〜第Ｎの入力端子に接続され、前記外部スイッチの切換状態を示す第１の情報を生成する入力ポート部と、
前記入力ポート部で生成された前記第１の情報を保持するレジスタと、
前記レジスタに保持された前記第１の情報を外部アンテナを介してホスト装置に送信する送信回路とを備える、半導体装置。
【請求項２】
さらに、前記ホスト装置から送信されて前記外部アンテナで受信された電波を前記半導体装置の電源電圧に変換する電源回路と、
前記電源回路によって前記電源電圧が生成されたことに応じて、前記半導体装置を初期状態にリセットさせるパワーオンリセット信号を生成する信号発生回路とを備える、請求項１に記載の半導体装置。
【請求項３】
前記外部スイッチは第１および第２の端子を含み、
前記外部スイッチの切換状態は、前記第１および第２の端子間が導通しているオン状態と、前記第１および第２の端子間が非導通になっているオフ状態とを有し、
前記Ｎは１であり、
前記第１の端子が前記第１の入力端子に接続され、前記第２の端子が基準電圧を受け、
前記入力ポート部は、前記第１の入力端子に前記基準電圧が与えられるか否かに基づいて前記第１の情報を生成する、請求項１に記載の半導体装置。
【請求項４】
前記外部スイッチは第１および第２の端子を含み、
前記外部スイッチの切換状態は、前記第１および第２の端子間が導通しているオン状態と、前記第１および第２の端子間が非導通になっているオフ状態とを有し、
前記Ｎは２であり、
前記第１および第２の端子がそれぞれ前記第１および第２の入力端子に接続され、
前記入力ポート部は、前記第１および第２の入力端子間が導通しているか否かに基づいて前記第１の情報を生成する、請求項１に記載の半導体装置。
【請求項５】
前記外部スイッチは共通端子と第１〜第Ｍ（ただし、Ｍは２以上の整数である）の切換端子を含み、前記共通端子と前記第１〜第Ｍの切換端子のうちのいずれか１つの切換端子との間が導通し、
前記外部スイッチの切換状態は、前記共通端子と前記第１〜第Ｍの切換端子との間がそれぞれ導通している第１〜第Ｍの状態を有し、
前記Ｎは（Ｍ＋１）であり、
前記共通端子および前記第１〜第Ｍの端子はそれぞれ前記第１〜第Ｎの入力端子に接続され、
前記入力ポート部は、前記第２〜第Ｎの入力端子のうちのいずれの入力端子が前記第１の入力端子とが導通しているかに基づいて前記第１の情報を生成する、請求項１に記載の半導体装置。
【請求項６】
前記外部スイッチは被監視物と連動するように設けられ、
前記外部スイッチの切換状態は前記被監視物の状態に応じて変化する、請求項１に記載の半導体装置。
【請求項７】
さらに、前記被監視物の設置場所を示す第２の情報を記憶したメモリ回路を備え、
前記送信回路は、前記メモリ回路に記憶された前記第２の情報を前記第１の情報とともに前記外部アンテナを介して前記ホスト装置に送信する、請求項６に記載の半導体装置。
【請求項８】
前記被監視物は建物の錠前であり、
前記外部スイッチの切換状態は前記錠前が施錠されているか否かに応じて変化する、請求項６に記載の半導体装置。
【請求項９】
前記錠前はドアのサムターンである、請求項８に記載の半導体装置。
【請求項１０】
前記錠前はサッシ窓のクレセントである、請求項８に記載の半導体装置。
【請求項１１】
前記被監視物はケースに収容された商品であり、
前記外部スイッチの切換状態は前記商品が前記ケースに収容されているか否かに応じて変化する、請求項６に記載の半導体装置。
【請求項１２】
前記被監視物は上下を反対にすることが禁止された物であり、
前記外部スイッチの切換状態は前記物の上下が反対にされているか否かに応じて変化する、請求項６に記載の半導体装置。
【請求項１３】
請求項１に記載の半導体装置と、
前記外部アンテナとを備える、無線タグ。
【請求項１４】
請求項１３に記載の無線タグと、
前記外部スイッチと、
前記ホスト装置とを備える、状態監視システム。
【請求項１５】
さらに、前記ホスト装置と通信して前記第１の情報を受信する携帯情報端末を備える、請求項１４に記載の状態監視システム。
【発明の詳細な説明】
【技術分野】
【０００１】
本発明は半導体装置、無線タグ、および状態監視システムに関し、たとえば被監視物の状態を監視する状態監視システムに好適に利用できるものである。
【背景技術】
【０００２】
特許文献１には、ＲＦＩＤ（Radio Frequency Identification）タグを用いた防犯システムが開示されている。この防犯システムでは、不法侵入や不正解除行為が行なわれたときにオンするスイッチがＲＦＩＤタグに接続される。スイッチがオンするとＲＦＩＤタグの電源電圧が接地電圧に固定されて、ＲＦＩＤタグがリーダ／ライタに応答しなくなり、不法侵入などが行なわれたことが検知される。
【０００３】
また特許文献２には、無線タグを用いた異常検知装置が開示されている。この異常検知装置では、無線タグに含まれるアンテナ、スイッチなどが窓ガラスに固定される。窓ガラスが破壊されてアンテナが破壊されたり、窓が開けられてスイッチがオフすると、無線タグにおいて電源電圧を発生することができなくなる。これにより、無線タグが検出装置に応答しなくなり、不審行為が行なわれたことが検知される。
【０００４】
また特許文献３には、無線タグを用いたセキュリティ装置が開示されている。この無線タグでは、窓が開けられるとスイッチがオンして電池から送信回路と警報音発生回路に給電される。これにより、送信回路から受信機に警報場所を示す信号が送信されるとともに、警報音が発生する。
【先行技術文献】
【特許文献】
【０００５】
【特許文献１】特開２００６−２５２０８９号公報
【特許文献２】特開２００５−１１５４０９号公報
【特許文献３】特開２００４−２５２７９０号公報
【発明の概要】
【発明が解決しようとする課題】
【０００６】
しかし、特許文献１〜３では、スイッチのオン／オフ状態を正確に監視することはできなかった。つまり、特許文献１，２では、不法侵入などがあった場合は、ＲＦＩＤや無線タグが応答しなくなり、スイッチのオン／オフ情報を検知することができなかった。また、特許文献３では、電池が切れた場合は無線タグが動作しなくなり、スイッチのオン／オフ情報を検知することができなかった。
【０００７】
その他の課題と新規な特徴は、本明細書の記述および添付図面から明らかになるであろう。
【課題を解決するための手段】
【０００８】
一実施の形態によれば、本願の半導体装置は、入力端子に接続された外部スイッチの切換状態を示す第１の情報を生成し、その第１の情報を外部アンテナを介してホスト装置に送信する。
【発明の効果】
【０００９】
前記一実施の形態によれば、半導体装置から送信される第１の情報に基づいて外部スイッチの切換状態を正確に監視することができる。
【図面の簡単な説明】
【００１０】
【図１】本願の実施の形態１による状態監視システムの構成を示す回路ブロック図である。
【図２】図１に示したリーダ／ライタおよび無線タグの構成を示す回路ブロック図である。
【図３】図２に示した入力ポート部およびレジスタの構成を示す回路ブロック図である。
【図４】図２に示した制御回路で生成されるデータフォーマットの構成を示す図である。
【図５】図１に示した被監視物であるサムターンを説明するための図である。
【図６】図５に示したサムターンとスイッチとを連動させる方法を示す図である。
【図７】図６で説明した方法によってスイッチがオン／オフされる状態を示す図である。
【図８】実施の形態１の変更例を示す図である。
【図９】本願の実施の形態２による状態監視システムの構成を示す回路ブロック図である。
【図１０】図９に示したリーダ／ライタおよび無線タグの構成を示す回路ブロック図である。
【図１１】図９に示した状態監視システムの使用方法を示す図である。
【図１２】図１１に示したサムターンとスイッチとを連動させる方法を示す図である。
【図１３】本願の実施の形態３による状態監視システムの構成を示す回路ブロック図である。
【図１４】図１３に示したリーダ／ライタおよび無線タグの構成を示す回路ブロック図である。
【図１５】図１３に示した被監視物であるサッシ窓のクレセントを説明するための図である。
【図１６】図１５に示したクレセントとスイッチを連動させる方法を示す図である。
【図１７】図１５に示したクレセントとスイッチを連動させる方法を示す他の図である。
【図１８】実施の形態２の変更例を示す図である。
【図１９】図１８に示した無線タグモジュールの使用方法を示す図である。
【図２０】本願の実施の形態４による状態監視システムを示す図である。
【図２１】図２０に示したサーバの構成を示す回路ブロック図である。
【図２２】図２０に示した携帯情報端末に表示される画像を示す図である。
【図２３】本願の実施の形態５による状態監視システムを示す図である。
【図２４】本願の実施の形態６による状態監視システムを示す図である。
【図２５】本願の実施の形態７による状態監視システムの要部を示す回路ブロック図である。
【発明を実施するための形態】
【００１１】
［実施の形態１］
本願の実施の形態１による状態監視システムは、図１に示すように、携帯情報端末１、リーダ／ライタ（ホスト装置）２、無線タグ３、およびスイッチ４を備える。スイッチ４は被監視物５と連動する。被監視物５は、たとえばドアのサムターン（錠前）である。スイッチ４のオン／オフ状態は、サムターンの施錠／解錠状態に応じて変化する。サムターンが施錠されるとスイッチ４がオンし、サムターンが解錠されるとスイッチ４がオフする。
【００１２】
携帯情報端末１は、たとえば携帯電話機である。ユーザは、たとえば外出先から、携帯情報端末１を用いて被監視物５の状態をリーダ／ライタ２に問い合わせる。リーダ／ライタ２は、たとえば、サムターンが設けられている建物内に配置されており、アンテナ２ａを含む。リーダ／ライタ２は、携帯情報端末１からの問合せに応答して、アンテナ２ａを用いて無線タグ３に電波を送信する。なお、リーダ／ライタ２と無線タグ３の間で送受信される電波としてＵＨＦ（Ultra-High Frequency）帯の電波を使用した場合、通信可能な距離は５ｍ程度である。
【００１３】
無線タグ３は、たとえば、スイッチ４とともにサムターンが設けられたドアに固定される。無線タグ３は、アンテナ３ａを含む。リーダ／ライタ２から電波が送信されると、アンテナ３ａに電力が発生する。無線タグ３は、アンテナ３ａに発生した電力に基づいて電源電圧を生成し、内部回路に供給する。
【００１４】
また無線タグ３は、入力端子３ｂを含む。スイッチ４の一方端子は入力端子３ｂに接続され、スイッチ４の他方端子は接地電圧ＶＳＳを受ける。無線タグ３の内部回路は、入力端子３ｂが接地電圧ＶＳＳを受けているか否かに基づいて、スイッチ４がオンされているか否かを判別し、判別結果を示すデータ信号を生成する。たとえば、スイッチ４がオンされている場合はデータ信号は「１」であり、スイッチ４がオフしている場合はデータ信号は「０」である。
【００１５】
無線タグ３は、生成したデータ信号をアンテナ３ａを用いてリーダ／ライタ２に送信する。リーダ／ライタ２は、アンテナ２ａで受信したデータ信号を携帯情報端末１に送信する。これにより、ユーザは、外出先からサムターンが施錠されているか否かを監視および確認することができる。ユーザは、外出先で建物のサムターンを施錠した否か不安になる場合があるが、本システムでは、サムターンの施錠／解錠状態を確認することができ、安心することができる。
【００１６】
図２は、図１に示したリーダ／ライタ２および無線タグ３の構成を示す回路ブロック図である。図２において、リーダ／ライタ２には、画像表示装置２ｂが設けられている。画像表示装置２ｂには、たとえばサムターンの施錠／解錠状態が画像、文字などによって表示される。
【００１７】
また、無線タグ３は、ＩＣチップ１０を備える。ＩＣチップ１０は、複数（たとえば８個）の入力端子３ｂを有する。８個の入力端子３ｂのうちのたとえば１つの入力端子３ｂにスイッチ４の一方端子が接続される。スイッチ４の他方端子は接地電圧ＶＳＳを受ける。残りの７個の入力端子３ｂは、予備である。
【００１８】
また、ＩＣチップ１０は、ＲＦ回路１１を備え、ＲＦ回路１１は電源回路１２および送受信回路１３を含む。電源回路１２は、アンテナ３ａに発生した交流電圧を整流する整流回路と、整流回路の出力電圧を平滑化する平滑回路と、平滑回路で生成された直流電圧に基づいて一定の直流電圧ＶＤＤを生成する定電圧回路とを含む。電源回路１２は、リーダ／ライタ２から送信されてアンテナ３ａで受信された電波を電源電圧ＶＤＤに変換し、その電源電圧をＩＣチップ１０全体に供給する。ＩＣチップ１０内の回路は、電源回路１２で生成された電源電圧ＶＤＤによって駆動される。
【００１９】
送受信回路１３は、リーダ／ライタ２から送信されてアンテナ３ａで受信された電波に含まれる信号（たとえば、サムターンの施錠／解錠情報を要求する信号）を復調して制御回路１６に与える。また、送受信回路１３は、制御回路１６から与えられた信号（たとえば、サムターンの施錠／解錠情報を含む信号）を変調し、アンテナ３ａを介してリーダ／ライタ２に送信する。
【００２０】
また、ＩＣチップ１０は、入力ポート部１４、レジスタ１５、制御回路１６、およびメモリ回路１７を備える。入力ポート部１４は、８個の入力端子３ｂに接続され、制御回路１６からのパワーオンリセット信号に応答して初期状態にリセットされた後、スイッチ４のオン／オフ状態を示すデータ信号を含む８ビットのデータ信号を生成する。たとえば、スイッチ４がオンされている場合は、スイッチ４に対応するデータ信号は「１」にされ、残りの７ビットのデータ信号は「０」となる。スイッチ４がオフされている場合は、８ビットのデータ信号はともに「０」となる。
【００２１】
レジスタ１５は、制御回路１６からのパワーオンリセット信号に応答して初期状態にリセットされた後、入力ポート部１４で生成された８ビットのデータ信号を記憶する。メモリ回路１７には、メーカ管理番号とスイッチ４が取り付けられたサムターンの場所を示す情報が書き込まれている。
【００２２】
制御回路１６は、電源回路１２から電源電圧が与えられた場合に、ＩＣチップ１０内の回路全体を初期状態にリセットさせるためのパワーオンリセット信号を発生する。また、制御回路１６は、レジスタ１５に記憶された８ビットのデータ信号と、メモリ回路１７に記憶された情報と使用して、リーダ／ライタ２に送信するデータフォーマットを生成する。送受信回路１３は、制御回路１６で生成されたデータフォーマットをアンテナ３ａを介してリーダ／ライタ２に送信する。
【００２３】
次に、図１および図２で示した状態監視システムの動作について説明する。ユーザが携帯情報端末１を用いてリーダ／ライタ２にサムターンの状態を問い合わせると、リーダ／ライタ２はアンテナ２ａを介して無線タグ３に電波を送信する。
【００２４】
リーダ／ライタ２からの電波を受信したアンテナ３ａに交流電圧が発生すると、その交流電圧は電源回路１２によってＩＣチップ１０用の電源電圧に変換される。電源電圧が供給されると、入力ポート部１４およびレジスタ１５が初期状態にリセットされる。スイッチ４のオン／オフ状態は、サムターンの施錠／解錠状態を示している。
【００２５】
スイッチ４のオン／オフ状態は、入力ポート部１４でデータ信号に変換されてレジスタ１５に格納される。送受信回路１３は、リーダ／ライタ２からの電波に含まれる信号を復調して制御回路１６に与える。制御回路１６は、送受信回路１３からの信号に応答して、レジスタ１５およびメモリ回路１７の記憶内容に基づいてデータフォーマットを生成する。このデータフォーマットは、送受信回路１３によって変調され、アンテナ３ａを介してリーダ／ライタ２に送信される。
【００２６】
リーダ／ライタ２は、受信したデータフォーマットを復調して、サムターンの施錠／解錠状態およびサムターンの設置場所を画像表示装置２ｂに表示させる。ユーザは、建物内では、画像表示装置２ｂに表示された画像を見ることにより、サムターンの施錠／解錠状態および設置場所を知ることができる。
【００２７】
またリーダ／ライタ２は、サムターンの施錠／解錠状態および設置場所を示す信号を携帯情報端末１に送信する。ユーザは、外出先では、携帯情報端末１の画面に表示された画像を見ることにより、サムターンの施錠／解錠状態および設置場所を知ることができる。
【００２８】
図３は、入力ポート部１４およびレジスタ１５の構成を示す回路ブロック図である。図３において、入力ポート部１４は、抵抗素子Ｒ１〜Ｒ８および信号発生回路ＳＧ１〜ＳＧ８を含む。抵抗素子Ｒ１〜Ｒ８の一方端子はともに電源電圧ＶＤＤを受け、それらの他方端子はそれぞれ８個の入力端子３ｂに接続される。
【００２９】
図３では、抵抗素子Ｒ１に対応する入力端子３ｂと接地電圧ＶＳＳのラインとの間にスイッチ４が接続された状態が示されている。スイッチ４がオンしている場合は、入力端子３ｂは接地電圧ＶＳＳとなる。スイッチ４がオフしている場合は、入力端子３ｂは電源電圧ＶＤＤとなる。信号発生回路ＳＧ１は、入力端子３ｂが接地電圧ＶＳＳである場合はデータ信号Ｄ１を「Ｈ」レベル（１）にし、入力端子３ｂが電源電圧ＶＤＤである場合はデータ信号Ｄ１を「Ｌ」レベル（０）にする。
【００３０】
抵抗素子Ｒ２〜Ｒ８に対応する残りの７個の入力端子３ｂはともに電源電圧ＶＤＤとなる。したがって、残りの信号発生回路ＳＧ２〜ＳＧ８は、それぞれデータ信号Ｄ２〜Ｄ８を「Ｌ」レベル（０）とする。レジスタ１５は、８個の記憶部Ｍ１〜Ｍ８を含む。記憶部Ｍ１〜Ｍ８は、それぞれデータ信号Ｄ１〜Ｄ８を保持および出力する。
【００３１】
図４は、制御回路１６で生成されるデータフォーマットの構成を示す図である。図４において、このデータフォーマットは、６４ビットのデータ信号列を含む。先頭の８ビットのデータ信号列は、割り当てクラスを示す情報を含む。次の８ビットのデータ信号列は、無線タグ３のメーカのＩＤを示す情報を含む。次の３２ビットのデータ信号列は、メーカによる無線タグ３の管理番号を示す情報を含む。
【００３２】
次の８ビットのデータ信号列は、スイッチ４が設置された場所を示す情報を含む。たとえば、「０００００００１」は玄関ドアを示し、「００００００１０」は勝手口を示す。また、「００００００１１」は１階の第１窓を示し、「０００００１００」は１階の第２窓を示し、「０００００１０１」は２回の第１窓を示す。最後の８ビットのデータ信号列は、スイッチ４のオン／オフ情報を含む。
【００３３】
したがって、最初の４８ビットのデータ信号列はスイッチ４が設置された時点で固定された情報であり、最後の８ビットのデータ信号列はリーダ／ライタ２から無線タグ３に電波が送られる毎に更新される情報である。
【００３４】
また、最初の４８ビットのデータ信号列は、無線タグ３がメーカから出荷された時点で固定された情報である。また、メーカによる無線タグ３の管理番号を示す情報を含む３２ビットのデータ信号列と、スイッチ４が設置された場所を示す情報を含む８ビットのデータ信号列とは、メモリ回路１７に書き込まれる。スイッチ４のオン／オフ情報を含む最後の８ビットのデータ信号列は、レジスタ１５に書き込まれる。なお、後半の４８ビットのデータ信号列は、ユーザペイロード部と呼ばれる。
【００３５】
図５（ａ）（ｂ）は、被監視物５であるサムターンを説明するための図である。図５（ａ）（ｂ）において、建物のドア２０の内側には、ドアノブ２１とサムターン２２が設けられている。また、ドア２０の端部には、デッドボルト２３が設けられている。図５（ａ）に示すように、サムターン２２の摘み部２２ａを上下方向に向けてサムターン２２を解錠状態にすると、デッドボルト２３が受座（図示せず）から抜かれてドア２０内に収容される。この状態では、ドアノブ２１を回すことにより、ドア２０を開けることができる。
【００３６】
また、図５（ｂ）に示すように、サムターン２２の摘み部２２ａを横方向に向けてサムターン２２を施錠状態にすると、デッドボルト２３がドア２０の端面から突出して受座（図示せず）に挿入される。この状態では、ドアノブ２１を回してもドア２０を開けることができない。スイッチ４は、サムターン２２と連動する。サムターン２２の摘み部２２ａが上下方向に向けられた場合は、スイッチ４はオフする。また、サムターン２２の摘み部２２ａが横方向に向けられた場合は、スイッチ４はオンする。
【００３７】
次に、サムターン２２とスイッチ４を連動させる方法について説明する。図６（ａ）（ｂ）に示すように、サムターン２２は、円筒形の本体部２２ｂを含む。摘み部２２ａは、本体部２２ｂの正面側の円形の端面に突設されている。円筒形の本体部２２ｂの外周面に突起部２４を設ける。サムターン２２を回すと、突起部２４が本体部２２ｂとともに上下に移動するので、突起部２４によってスイッチ４をオン／オフさせる。
【００３８】
図７(ａ）（ｂ）に示すように、スイッチ４は、２つの端子４ａ，４ｂと、可動接点４ｃとを含む。スイッチ４の一方端子４ａは無線タグ３の入力端子３ｂに接続され、スイッチ４の他方端子４ｂは接地電圧ＶＳＳを受ける。スイッチ４の可動接点４ｃは、サムターン２２に設けられた突起部２４と結合され、サムターン２２が回されると上下動する。
【００３９】
図７（ａ）に示すように、解錠時はサムターン２２の摘み部２２ａは上下方向に向けられる。このときスイッチ４の可動接点４ｃは突起部２４とともに上側に移動し、可動接点４ｃと端子４ｂが離間し、スイッチ４はオフする。
【００４０】
また図７（ｂ）に示すように、施錠時はサムターン２２の摘み部２２ａは横方向に向けられる。このときスイッチ４の可動接点４ｃは突起部２４とともに下側に移動し、可動接点４ｃと端子４ｂが接触し、スイッチ４はオンする。
【００４１】
この実施の形態１では、無線タグ３は、入力端子３ｂに接続されたスイッチ４のオン／オフ状態を示すデータ信号Ｄ１〜Ｄ８を生成し、そのデータ信号Ｄ１〜Ｄ８をアンテナ３ａを介してリーダ／ライタ２に送信する。リーダ／ライタ２は、サムターン２２の施錠／解錠状態をユーザの携帯情報端末１に送信する。したがって、ユーザは、外出先からでも、サムターン２２の状態を正確に監視することができる。
【００４２】
図８（ａ）（ｂ）は、実施の形態１の変更例を示す図であって、図６（ａ）（ｂ）と対比される図である。図８（ａ）（ｂ）において、サムターン２２の円筒形の本体部２２ｂの裏面の中央部には、円筒形の凸部２２ｃが設けられている。また、凸部２２ｃの中央部には、回転軸２２ｄが設けられている。この変更例では、サムターン２２とスイッチ４を連動させるための突起部２４は、本体部２２ｂの裏面のうちの凸部２２ｃの外側に領域に設けられる。この場合は、突起部２４がドア２０内に隠れるので、外観がすっきりする。
【００４３】
［実施の形態２]
図９は、本願の実施の形態２による状態監視システムの要部を示す回路ブロック図であって、図１と対比される図である。図９を参照して、この状態監視システムが実施の形態１の状態監視システムと異なる点は、無線タグ３が無線タグ３０で置換される点である。
【００４４】
無線タグ３０は、たとえば、スイッチ４とともにサムターン２２が設置されたドア２０に固定される。無線タグ３０は、アンテナ３０ａを含む。リーダ／ライタ２から電波が送信されると、アンテナ３０ａに電力が発生する。無線タグ３０は、アンテナ３０ａに発生した電力に基づいて電源電圧を生成し、内部回路に供給する。
【００４５】
また無線タグ３０は、１対の入力端子３０ｂ，３０ｃを含む。スイッチ４は、入力端子３０ｂ，３０ｃ間に接続される。無線タグ３０の内部回路は、入力端子３０ｂ，３０ｃ間が導通しているか否かに基づいて、スイッチ４がオンされているか否かを判別し、判別結果を示すデータ信号を生成する。たとえば、スイッチ４がオンされている場合はデータ信号は「１」であり、スイッチ４がオフしている場合はデータ信号は「０」である。
【００４６】
無線タグ３０は、生成したデータ信号をアンテナ３０ａを用いてリーダ／ライタ２に送信する。リーダ／ライタ２は、アンテナ２ａで受信したデータ信号を携帯情報端末１に送信する。これにより、ユーザは、外出先からサムターン２２が施錠されているか否かを監視および確認することができる。ユーザは、外出先でサムターン２２を施錠した否か不安になる場合があるが、本システムでは、サムターン２２の施錠／解錠状態を確認することができ、安心することができる。
【００４７】
図１０は、図９に示したリーダライタ２および無線タグ３０の構成を示す回路ブロック図であって、図２と対比される図である。図１０を参照して、無線タグ３０は、ＩＣチップ３１を備える。ＩＣチップ３１がＩＣチップ１０と異なる点は、８個の入力端子３ｂが８対の入力端子３０ｂ，３０ｃで置換され、入力ポート部１４が入力ポート部３２で置換されている点である。
【００４８】
８対の入力端子３０ｂ，３０ｃのうちのたとえば１対の入力端子３０ｂ，３０ｃ間にスイッチ４が接続される。残りの７対の入力端子３０ｂ，３０ｃは、予備である。入力ポート部３２は、８対の入力端子３０ｂ，３０ｃに接続され、制御回路１６からのパワーオンリセット信号に応答して初期状態にリセットされた後、スイッチ４のオン／オフ状態を示すデータ信号を含む８ビットのデータ信号を生成する。たとえば、スイッチ４がオンされている場合は、スイッチ４に対応するデータ信号は「１」にされ、残りの７ビットのデータ信号は「０」となる。スイッチ４がオフされている場合は、８ビットのデータ信号はともに「０」となる。
【００４９】
レジスタ１５は、制御回路１６からのパワーオンリセット信号に応答して初期状態にリセットされた後、入力ポート部３２で生成された８ビットのデータ信号を記憶する。メモリ回路１７には、メーカ管理番号とスイッチ４が取り付けられたサムターン２２の場所を示す情報が書き込まれている。
【００５０】
制御回路１６は、電源回路１２から電源電圧が与えられた場合に、ＩＣチップ３１内の回路全体を初期状態にリセットさせるためのパワーオンリセット信号を発生する。また、制御回路１６は、レジスタ１５に記憶された８ビットのデータ信号と、メモリ回路１７に記憶された情報と使用して、リーダ／ライタ２に送信するデータフォーマットを生成する。送受信回路１３は、制御回路１６で生成されたデータフォーマットをアンテナ３０ａを介してリーダ／ライタ２に送信する。
【００５１】
図１１（ａ）（ｂ）は、ドア２０に取り付けられたスイッチ４および無線タグ３０を示す図である。また、図１２（ａ）（ｂ）は、サムターン２２とスイッチ４を連動させる方法を示す図である。
【００５２】
図１１（ａ）（ｂ）および図１２（ａ）（ｂ）において、スイッチ４の可動接点４ｃは、サムターン２２の本体部２２ｂの円形の裏面の縁に固定される。掴み部２２ａを上下方向に向けたとき、可動接点４ｃはサムターン２２の裏面の上端部に位置している。無線タグ３０は、入力端子３０ｂ，３０ｃをサムターン２２側に向けて、サムターン２２の右横に固定されている。スイッチ４の端子４ａ，４ｂは、それぞれ無線タグ３０の入力端子３０ｂ，３０ｃに接続されている。
【００５３】
解錠時は、図１１（ａ）および図１２（ａ）に示すように、サムターン２２の掴み部２２ａは上下方向に向けられる。このとき、スイッチ４の可動接点４ｃはサムターン２２の上に位置し、スイッチ４の端子４ａ，４ｂはサムターン２２の右横に位置しているので、スイッチ４の端子４ａ，４ｂ間は導通していない。
【００５４】
施錠時は、図１１（ｂ）および図１２（ｂ）に示すように、サムターン２２の掴み部２２ａは横方向に向けられる。このとき、スイッチ４の可動接点４ｃはサムターン２２の右横に位置し、スイッチ４の端子４ａ，４ｂ間を短絡させる。
【００５５】
他の構成および動作は、実施の形態１と同じであるので、その説明は繰り返さない。この実施の形態２でも、実施の形態１と同じ効果が得られる。
【００５６】
［実施の形態３]
図１３は、本願の実施の形態３による状態監視システムの要部を示す回路ブロック図であって、図１と対比される図である。図１３を参照して、この状態監視システムが実施の形態１の状態監視システムと異なる点は、無線タグ３が無線タグ４０で置換され、スイッチ４がスイッチ４５で置換される点である。
【００５７】
無線タグ４０は、アンテナ４０ａを含む。リーダ／ライタ２から電波が送信されると、アンテナ４０ａに電力が発生する。無線タグ４０は、アンテナ４０ａに発生した電力に基づいて電源電圧を生成し、内部回路に供給する。
【００５８】
また無線タグ４０は、３つの入力端子４０ｂ〜４０ｄを含む。スイッチ４５は、２つの切換端子４５ａ，４５ｂと共通端子４５ｃを含む。切換端子４５ａ，４５ｂのうちのいずれか１つの切換端子と共通端子４５ｃとの間が導通する。被監視物５は、たとえば建物のドア２０のサムターン２２である。スイッチ４５の切換状態は、サムターン２２の施錠／解錠状態に応じて変化する。サムターン２２が施錠されるとスイッチ４５の端子４５ａ，４５ｃ間が導通し、サムターン２２が解錠されるとスイッチ４５の端子４５ｂ，４５ｃ間が導通する。
【００５９】
無線タグ４０の内部回路は、切換端子４５ａ，４５ｂのうちのいずれか１つの切換端子が共通端子４５ｃと導通しているかを判別し、判別結果を示すデータ信号を生成する。たとえば、端子４５ａ，４５ｃ間が導通している場合はデータ信号は「１」であり、端子４５ｂ，４５ｃ間が導通している場合はデータ信号は「０」である。
【００６０】
なお、共通端子４５ｃが切換端子４５ａ，４５ｂの両方と導通している場合や、共通端子４５ｃが切換端子４５ａ，４５ｂの両方と導通していない場合は、スイッチ４５が故障している。このような場合、無線タグ４０からリーダ／ライタ２に、スイッチ４５が故障した旨を示す信号を送信してもよい。
【００６１】
無線タグ４０は、生成したデータ信号をアンテナ４０ａを用いてリーダ／ライタ２に送信する。リーダ／ライタ２は、アンテナ２ａで受信したデータ信号を携帯情報端末１に送信する。これにより、ユーザは、外出先からサムターン２２が施錠されているか否かを監視および確認することができる。ユーザは、外出先でサムターン２２を施錠した否か不安になる場合があるが、本システムでは、サムターン２２の施錠／解錠状態を確認することができ、安心することができる。
【００６２】
図１４は、図１３に示したリーダライタ２および無線タグ４０の構成を示す回路ブロック図であって、図２と対比される図である。図１４を参照して、無線タグ４０は、ＩＣチップ４１を備える。ＩＣチップ４１がＩＣチップ１０と異なる点は、８個の入力端子３ｂが８組の入力端子４０ｂ〜４０ｄで置換され、入力ポート部１４が入力ポート部４２で置換されている点である。
【００６３】
８組の入力端子４０ｂ〜４０ｄのうちのたとえば１組の入力端子４０ｂ〜４０ｄにスイッチ４５が接続される。残りの７組の入力端子４０ｂ〜４０ｄは、予備である。入力ポート部４２は、８組の入力端子４０ｂ〜４０ｄに接続され、制御回路１６からのパワーオンリセット信号に応答して初期状態にリセットされた後に、スイッチ４５の切換状態を示すデータ信号を含む８ビットのデータ信号を生成する。たとえば、スイッチ４５の端子４５ａ，４５ｃ間が導通している場合は、スイッチ４５に対応するデータ信号は「１」にされ、残りの７ビットのデータ信号は「０」となる。スイッチ４５の端子４５ｂ，４５ｃ間が導通している場合は、８ビットのデータ信号はともに「０」となる。
【００６４】
レジスタ１５は、制御回路１６からのパワーオンリセット信号に応答して初期状態にリセットされた後に、入力ポート部４２で生成された８ビットのデータ信号を記憶する。メモリ回路１７には、メーカ管理番号とスイッチ４が取り付けられたサムターンの場所を示す情報が書き込まれている。
【００６５】
制御回路１６は、電源回路１２から電源電圧が与えられた場合に、ＩＣチップ４１内の回路全体を初期状態にリセットさせるためのパワーオンリセット信号を発生する。また、制御回路１６は、レジスタ１５に記憶された８ビットのデータ信号と、メモリ回路１７に記憶された情報と使用して、リーダ／ライタ２に送信するデータフォーマットを生成する。送受信回路１３は、制御回路１６で生成されたデータフォーマットをアンテナ４０ａを介してリーダ／ライタ２に送信する。
【００６６】
図１５（ａ）（ｂ）は、被監視物５である引き違い型サッシ窓のクレセント５１を説明するための図である。図１５（ａ）（ｂ）において、内側のサッシ窓の右側の桟５０の端面の中央部にクレセント５１が設けられている。クレセント５１は、桟５０の端面に対して回動可能に設けられた半円盤部５２と、半円盤部５２に固定されたレバー５３とを含む。外側のサッシ窓の左側の桟にはフック(図示せず)が設けられている。半円盤部５２の縁には、円弧状の突起部５２ａが設けられている。
【００６７】
図１５（ａ）に示すように、レバー５３を時計針と反対の方向に回してレバー５３の先端を下向きにし、クレセント５１を解錠状態にすると、半円盤部５２の突起部５２ａが外側のサッシ窓のフックから外れる。この状態では、サッシ窓を開けることができる。
【００６８】
また、図１５（ｂ）に示すように、レバー５３を時計針と同じ方向に回してレバー５３の先端を上向きにし、クレセント５１を施錠状態にすると、半円盤部５２の突起部５２ａが外側のサッシ窓のフックと嵌合される。この状態では、サッシ窓を開けることはできない。
【００６９】
次に、クレセント５１とスイッチ４５を連動させる方法について説明する。図１６に示すように、クレセント５１のレバー５３内に空洞が形成されており、無線タグ４０およびスイッチ４５はレバー５３内の空洞に収容される。なお、アンテナ４０ａの図示は省略されている。
【００７０】
スイッチ４５は、円筒型のケース４５ｅを含む。ケース４５ｅの一方端はレバー５３の基端側に配置され、ケース４５ｅの他方端はレバー５３の先端側に配置される。ケース４５ｅ内には、円柱型の可動接点４５ｄがケース４５ｅの長さ方向にスライド可能に設けられている。ケース４５ｅの一方端には切換端子４５ａが設けられ、ケース４５ｅの他方端には切換端子４５ｂが設けられ、ケース４５ｅの内周面の中央部には共通端子４５ｃが設けられている。可動接点４５ｄの長さは、ケース４５ｅの１／２よりも長い。このため、可動接点４５ｄと共通端子４５ｃの間は常時導通している。
【００７１】
図１６に示すように、解錠時はレバー５３の先端は下向きにされる。このときスイッチ４５の可動接点４５ｄは重力によってケース４５ｅ内の他方端に落ち、可動接点４５ｄと共通端子４５ｃと切換端子４５ｂとが接触する。
【００７２】
また図１７に示すように、施錠時はレバー５３の先端は上向きにされる。このときスイッチ４５の可動接点４５ｄは重力によってケース４５ｅ内の一方端に落ち、可動接点４５ｄと共通端子４５ｃと切換端子４５ａとが接触する。
【００７３】
他の構成および動作は、実施の形態１と同じであるので、その説明は繰り返さない。この実施の形態３でも、実施の形態１と同じ効果が得られる。
【００７４】
図１８および図１９（ａ）（ｂ）は、実施の形態３の変更例を示す図である。図１８および図１９（ａ）（ｂ）において、この変更例では、無線タグモジュール５４が使用される。無線タグモジュール５４は、たとえば直方体状に形成されており、その中には無線タグ４０とスイッチ４５が封入されている。無線タグモジュール４５は、図１９（ａ）（ｂ）に示すように、レバー５３の上か横に貼り付けられる。この変更例では、実施の形態３と同じ効果が得られる他、既存のサッシ窓にも容易に取り付けることができる。
【００７５】
[実施の形態４]
図２０は、本願の実施の形態４による状態監視システムを示す図である。図２０において、この状態監視システムでは、家屋の複数（図では４つ）の部屋ＲＭ１〜ＲＭ４の各々の所望のサッシ窓のクレセント５１が被監視物５となる。図２０では、監視対象のクレセント５１は、○で囲まれている。各クレセント５１には、無線タグ４０およびスイッチ４５が設けられる。
【００７６】
また、４つの部屋ＲＭ１〜ＲＭ４には、それぞれサーバＳＶ１〜ＳＶ４が設けられる。各サーバＳＶは、リーダ／ライタ機能を有し、対応の部屋ＲＭの各無線タグ４０に電波を送信し、各無線タグ４０からのクレセント５１の解錠／施錠状態を示す情報を受信する。なお、部屋ＲＭの大きさによっては、サーバＳＶを複数台設けてもよい。
【００７７】
また、各サーバＳＶは、無線通信機能を有し、他の各サーバＳＶや携帯情報端末１と無線通信することが可能となっている。また、各サーバＳＶは、ＰＣサーバ５５およびインターネット経由で携帯情報端末１と通信することが可能となっている。
【００７８】
なお、ＰＣサーバ５５を省略し、サーバＳＶ１をメインサーバとし、サーバＳＶ２〜ＳＶ４の各々がサーバＳＶ１およびインターネット経由で携帯情報端末１と通信することが可能となっていても構わない。
【００７９】
また、家屋の屋根に太陽電池５６を設置し、太陽電池５６で発生した電力をバッテリ(図示せず)に蓄え、バッテリの電力でサーバＳＶなどを駆動させてもよい。
【００８０】
この状態監視システムでは、ユーザは部屋ＲＭ内または外出先から４つの部屋ＲＭ１〜ＲＭ４のサッシ窓のクレセント５１の開閉状態を監視することができる。
【００８１】
図２１は、サーバＳＶ１の構成を示すブロック図である。図２１において、サーバＳＶ２１は、リーダ／ライタ部６０、ＷｉＦｉ（wireless fidelity）通信モジュール６１、ホストＣＰＵ（Central Processing Unit）６２、およびイーサネット（登録商標）ＩＦ（interface）部６３を備える。また、サーバＳＶは、ＳＳＤ（Solid State Drive）６４、ＤＲＡＭ（Dynamic Random Access Memory）６５、システムバス６６、および制御信号線６７を備える。サーバＳＶ内の回路ブロック６０〜６５は、システムバス６６および制御信号線６７によって互いに接続されている。
【００８２】
リーダ／ライタ部６０は、アンテナ６０ａおよびＲＦ回路６０ｂを含み、図１３で示したリーダ／ライタ２と同じ機能を有する。リーダ／ライタ部６０は、対応の部屋ＲＭ１の各無線タグ４０に電波を送信し、各無線タグ４０からのクレセント５１の施錠／解錠状態を示す情報を受信する。この情報は、ＳＳＤ６４およびＤＲＡＭ６５に格納される。
【００８３】
ＷｉＦｉ通信モジュール６１は、アンテナ６１ａを含み、携帯情報端末１と無線通信を行なうために用いられる。ホストＣＰＵ６２は、サーバＳＶ１全体を制御する。イーサネット（登録商標）ＩＦ部６３は、他のサーバＳＶ２〜ＳＶ３などとともにＬＡＮ(Local Area Network)を構築するために用いられる。ＳＳＤ６４およびＤＲＡＭ６５は、情報を記憶するために使用される。サーバＳＶ２〜ＳＶ４の各々は、サーバＳＶ１と同じ構成である。
【００８４】
図２２は、携帯情報端末１の画面を示す図である。図２２において、携帯情報端末１の画面には、複数（図では２つ）のアイコンＡ，Ｂが表示される。所定のアイコンＡにタッチすると、自宅の間取り図が画面全体に表示される。自宅間取り図の監視対象の各サッシ窓のクレセント５１には丸印（○）が表示される。図２２では、和室、台所、浴室、物置、および縁側の各々の１または２以上のサッシ窓のクレセント５１や、玄関の引き戸のクレセント５１が監視対象とされている。
【００８５】
監視対象のクレセント５１が解錠されている場合は、そのクレセント５１に対応する丸印の内側がたとえば黄色に表示される。監視対象のクレセント５１が施錠されている場合は、そのクレセント５１に対応する丸印の内側がたとえば赤色に表示される。図２２では、内側が黄色の丸印を白抜きの丸印で示し、内側が赤色の丸印を内側に斜線が施された丸印で示した。これにより、ユーザは、家屋の室内で、あるいは外出先から、複数のクレセント５１の解錠／施錠状態を監視することができる。この実施の形態４でも、実施の形態１と同じ効果が得られる。
【００８６】
[実施の形態５]
図２３（ａ）〜（ｃ）は、本願の実施の形態５による状態監視システムを示す図である。レンタルビデオ店では、図２３（ａ）に示すように、映画などが記録されたＤＶＤ（Digital Versatile Disc）が内ケース７０内に収容されており、内ケース７０は外ケース７１に挿入されている。内ケース７０の上端部は、外ケース７１の上に突出している。
【００８７】
ケース７０，７１の各々には、ＤＶＤに記録された映画のタイトルなどが表示されている。多数組のケース７０，７１が複数段の棚に配列されており、客は所望のＤＶＤが収容された内ケース７０を外ケース７１から抜き出してレンタルする。空の外ケース７１は、棚に残される。
【００８８】
内ケース７０の下端面７０ａには、図２３（ｂ）に示すように、スイッチ４の可動接点４ｃが貼り付けられている。また、外ケース７１の底面のうちの可動接点４ｃに対向する位置には、スイッチ４の端子４ａ，４ｂが貼り付けられている。また、外ケース７１の底面には無線タグ３０が貼り付けられており、スイッチ４の端子４ａ，４ｂは無線タグ３０に接続されている。無線タグ３０のアンテナ３０ａは外ケース７１の外に露出している。
【００８９】
内ケース７０が外ケース７１内に挿入されている場合は、スイッチ４の可動接点４ｃと端子４ａ，４ｂとが接触し、スイッチ４がオンする。また、内ケース７０が外ケース７１から抜き出されている場合は、スイッチ４の可動接点４ｃと端子４ａ，４ｂとが接触せず、スイッチ４がオフする。したがって、スイッチ４のオン／オフ状態を監視することにより、内ケース７０が外ケース７１から抜き出されているか否か、すなわちＤＶＤがレンタルされているか否かを監視することができる。
【００９０】
また、レンタルビデオ店の店内、店頭などには、リーダ／ライタ機能および無線通信機能を有するサーバＳＶが設置されている。サーバＳＶは、所定の時間間隔で外ケース７１の無線タグ３０に電波を送信する。無線タグ３０は、サーバＳＶからの電波に応答して、スイッチ４のオン／オフ情報と、ＤＶＤを特定する情報とをサーバＳＶに送信する。サーバＳＶは、受信した情報を収集し、集計して蓄積する。
【００９１】
また、携帯情報端末１やＰＣ７２から問合せがあった場合、サーバＳＶは、蓄積した情報を送信する。また、サーバＳＶは、ＤＶＤの在庫などの異常を検出した場合、携帯情報端末１やＰＣ７２に音、振動などにより異常の発生を報知する。
【００９２】
これにより、レンタルビデオ店の店員は、店内が暗くてケース７０，７１に書かれたタイトルなどが見えない場合や、ケース７０，７１が所定の場所から移動させられている場合でも、ＤＶＤの在庫管理をすることができる。
【００９３】
[実施の形態６]
図２４（ａ）（ｂ）は、本願の実施の形態６による状態監視システムを示す図である。運送会社などでは、上下を逆にすることが禁止される荷物を収容したダンボール箱７５を扱う場合がある。そのような場合は、図２４（ａ）に示すように、ダンボール箱７５の正面に「天地無用」と縦書きで記されたシール７６が張り付けられる。作業員は、そのシール７６を見てダンボール箱７５の上下が逆にならないように運送し、倉庫に保管する。
【００９４】
本実施の形態６では、ダンボール箱７５の正面または内部に図１８で示した無線タグモジュール５４が貼り付けられる。ダンボール箱７５の上下が正しく配置された場合は、たとえばスイッチ４５の端子４５ａ，４５ｃ間が導通する。また、図２４（ｂ）に示すように、ダンボール箱７５の上下が逆に配置された場合は、スイッチ４５の端子４５ｂ，４５ｃ間が導通する。したがって、スイッチ４５の切換状態を監視することにより、ダンボール箱７５の上下が正しく設置されているか否かを監視することができる。
【００９５】
また、倉庫内には、リーダ／ライタ機能および無線通信機能を有するサーバＳＶが設置されている。サーバＳＶは、所定の時間間隔で無線タグモジュール５４に電波を送信する。無線タグモジュール５４は、サーバＳＶからの電波に応答して、スイッチ４５の切換情報と、ダンボール箱を特定する情報とをサーバＳＶに送信する。サーバＳＶは、受信した情報を収集し、集計して蓄積する。
【００９６】
また、携帯情報端末１から問合せがあった場合、サーバＳＶは、蓄積した情報を送信する。また、サーバＳＶは、無線タグモジュール５４などの異常を検出した場合、携帯情報端末１に音、振動などにより異常の発生を報知する。
【００９７】
これにより、運送会社などの作業員は、倉庫内が暗くてダンボール箱７５に貼られたシール７６の文字などが見えない場合でも、ダンボール箱７５の上下が正しく配置されているか否かを管理することができる。
【００９８】
[実施の形態７]
図２５は、本願の実施の形態７による状態監視システムの要部を示す図である。図２５において、この状態監視システムでは、無線タグ８０およびスイッチ８１が使用される。スイッチ８１は、共通端子Ｔ０と、複数（ここでは８個）の切換端子Ｔ１〜Ｔ８と、可動接点８１ａとを含む。
【００９９】
共通端子Ｔ０は、円柱状に形成され、回転軸を兼ねている。８個の端子Ｔ１〜Ｔ８は、共通端子Ｔ０の周りに等角度間隔で円環状に配列されている。可動接点８１ａの基端は共通端子Ｔ０の外周面に接合され、その先端は切換端子Ｔ上に配置されている。可動接点８１ａは、共通端子Ｔ０を中心として、時計針状に回転可能になっている。８個の切換端子Ｔ１〜Ｔ８のうちのいずれかの端子Ｔが、可動接点８１ａを介して共通端子Ｔ０に接続される。
【０１００】
本実施の形態７では、被監視物５は回転体である。共通端子Ｔ０は、回転体の回転軸に結合される。可動接点８１ａは、回転体とともに回転する。したがって、８個の切換端子Ｔ１〜Ｔ８のうちのいずれの端子が共通端子Ｔ０に接続されているかを監視することにより、回転体の回転角度や回転速度を監視することができる。
【０１０１】
また、リーダ／ライタ機能および無線通信機能を有するサーバＳＶが無線タグ８０と通信可能な所定位置に配置される。無線タグ８０は、アンテナ８０ａを含む。サーバＳＶから電波が送信されると、アンテナ８０ａに電力が発生する。無線タグ８０は、アンテナ８０ａに発生した電力に基づいて電源電圧を生成し、内部回路に供給する。
【０１０２】
また無線タグ８０は、９個の入力端子８０ｂを含む。スイッチ８１の端子Ｔ０〜Ｔ８は、それぞれ無線タグ８０の９個の入力端子８０ｂに接続される。無線タグ８０の内部回路は、８個の切換端子Ｔ１〜Ｔ８のうちのいずれかの端子が共通端子Ｔ０に接続されているかに基づいて、８ビットのデータ信号からなる切換情報を生成する。
【０１０３】
たとえば、１番目の切換端子Ｔ１と共通端子Ｔ０が導通している場合は、８ビットのデータ信号は１０００００００である。また、２番目の切換端子Ｔ２と共通端子Ｔ０が導通している場合は、８ビットのデータ信号は０１００００００である。８番目の切換端子Ｔ８と共通端子Ｔ０が導通している場合は、８ビットのデータ信号は０００００００１である。
【０１０４】
サーバＳＶは、所定の時間間隔で無線タグ８０に電波を送信する。無線タグ８０は、サーバＳＶからの電波に応答して、スイッチ８１の切換情報と、スイッチ８１が設置された場所を特定する情報とをサーバＳＶに送信する。サーバＳＶは、受信した情報を収集し、集計して蓄積する。
【０１０５】
また、携帯情報端末１から問合せがあった場合、サーバＳＶは、蓄積した情報を送信する。また、サーバＳＶは、無線タグ８０やスイッチ８１などの異常を検出した場合、携帯情報端末１に音、振動などにより異常の発生を報知する。これにより、回転体の回転角度、回転速度などを監視することができる。
【０１０６】
なお、本実施の形態７では、８個の切換端子Ｔ１〜Ｔ８のうちのいずれか１個の切換端子と共通端子Ｔ０とが導通したが、これに限るものではなく、８個の切換端子Ｔ１〜Ｔ８のうちのいずれか２個以上の切換端子と共通端子Ｔ０とが導通しても構わない。たとえば、２本の可動接点８１ａを設け、２つの切換端子（たとえばＴ１，Ｔ７）と共通端子Ｔ０とを導通させてもよい。この場合は、ノイズに強くなり、スイッチ８１の切換状態をより正確に監視することができる。
【０１０７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【０１０８】
１  携帯情報端末、２  リーダ／ライタ、２ａ，３ａ，３０ａ，４０ａ，６０ａ，６１ａ，８０ａ  アンテナ、２ｂ  画像表示装置、３，３０，４０，８０  無線タグ、３ｂ，３０ｂ，３０ｃ，４０ｂ〜４０ｄ，８０ｂ  入力端子、４，４５，８１  スイッチ、４ａ，４ｂ  端子、４５ａ，４５ｂ，Ｔ１〜Ｔ８  切換端子、４５ｃ，Ｔ０  共通端子、４ｃ，４５ｄ，８１ａ  可動接点、４５ｅ  ケース、５  被監視物、１０，３１，４１  ＩＣチップ、１１  ＲＦ回路、１２  電源回路、１３  送受信回路、１４，３２，４２  入力ポート部、１５  レジスタ、１６  制御回路、１７  メモリ回路、Ｒ１〜Ｒ８  抵抗素子、ＳＧ１〜ＳＧ８  信号発生回路、Ｍ１〜Ｍ８  記憶部、２０  ドア、２１  ドアノブ、２２  サムターン、２２ａ  摘み部、２２ｂ  円筒部、２２ｃ  凸部、２３  デッドボルト、２４  突起部、５０  桟、５１  クレセント、５２  半円盤部、５２ａ  突起部、５３  レバー、５４  無線タグモジュール、ＲＭ１〜ＲＭ４  部屋、ＳＶ  サーバ、５５  ＰＣサーバ、５６  太陽電池、６０  リーダ／ライタ部、６１  ＷｉＦｉ通信モジュール、６２  ホストＣＰＵ、６３  イーサＩＦ部、６４  ＳＳＤ、６５  ＤＲＡＭ、６６  システムバス、６７  制御信号線、７０  内ケース、７１  外ケース、７２  ＰＣ、７５  ダンボール箱、７６  シール。
【図１】
2014048890.tif 000003
【図２】
2014048890.tif 000004
【図３】
2014048890.tif 000005
【図４】
2014048890.tif 000006
【図５】
2014048890.tif 000007
【図６】
2014048890.tif 000008
【図７】
2014048890.tif 000009
【図８】
2014048890.tif 000010
【図９】
2014048890.tif 000011
【図１０】
2014048890.tif 000012
【図１１】
2014048890.tif 000013
【図１２】
2014048890.tif 000014
【図１３】
2014048890.tif 000015
【図１４】
2014048890.tif 000016
【図１５】
2014048890.tif 000017
【図１６】
2014048890.tif 000018
【図１７】
2014048890.tif 000019
【図１８】
2014048890.tif 000020
【図１９】
2014048890.tif 000021
【図２０】
2014048890.tif 000022
【図２１】
2014048890.tif 000023
【図２２】
2014048890.tif 000024
【図２３】
2014048890.tif 000025
【図２４】
2014048890.tif 000026
【図２５】
2014048890.tif 000027